(57)【要約】  【課題】  前面ガラスに雪などの自然物が積もることによって視界が妨げられることを防ぐとともに、防水性を向上させる。  【解決手段】  監視カメラ１は、前面ガラス１３と、前面ガラス１３を保持するガラス押さえ板を備えている。ガラス押さえ板は、前面ガラス１３に続く領域に、前面ガラス１３の外面と同等または後方に下がった外面を有しており、また、前面ガラス１３の厚さ方向に対して垂直な押さえ部を有し、押さえ部で前面ガラス１３の外面より下がった被押さえ部を押さえつけている。【選択図】  図１
2005198130.tif 000002
【特許請求の範囲】
【請求項１】
撮影窓部材と、
前記撮影窓部材の外面と同等または後方に下がった外面を有し、前記撮影窓部材の厚さ方向に対して垂直な面で前記撮影窓部材と係合する押さえ部と、
前記撮影窓部材および前記押さえ部と係合する保持手段と
を備えたことを特徴とする監視カメラ。
【請求項２】
前記保持手段は、保持部材と、前記保持部材に取り付けられ、前記撮影窓部材と係合する環状部材とを備えることを特徴とする請求項１に記載の監視カメラ。
【請求項３】
前記環状部材と前記撮影窓部材とが係合した状態で撮影窓組立体が構成されることを特徴とする請求項２に記載の監視カメラ。
【請求項４】
前記撮影窓部材は、第１の板状部材と前記第１の板状部材のサイズより小さい第２の板状部材とが貼り合わされて構成されており、
前記撮影窓部材は、前記第１の板状部材が前記第２の板状部材からはみ出した部分にて前記押さえ部と係合することを特徴とする請求項１ないし請求項３のいずれかに記載の監視カメラ。
【請求項５】
前記撮影窓部材は、カシメによって前記保持手段に保持されることを特徴とする請求項１ないし請求項４のいずれかに記載の監視カメラ。
【請求項６】
撮影窓部材と、
前記撮影窓部材の外面と同等または後方に下がった外面を有し、前記撮影窓部材を保持する保持手段とを備え、
前記撮影窓部材は、前記保持手段に接着されていることを特徴とする監視カメラ。
【請求項７】
撮影窓部材と、
前記撮影窓部材の外面と同等または後方に下がった外面を有し、前記撮影窓部材を保持する保持手段とを備え、
前記撮影窓部材は、前記保持手段と一体成形されていることを特徴とする監視カメラ。
【発明の詳細な説明】
【技術分野】
【０００１】
本発明は、監視対象を撮影する監視カメラに関するものである。
【背景技術】
【０００２】
監視カメラは、監視場所に備え付けられて監視対象を撮影する。監視カメラの設置場所は屋外であることもある。図８は、従来の監視カメラの一例の斜視図である。監視カメラ３０はカメラケース３１と前面ガラス３２とを備えている。前面ガラス３２は、透明のガラス板で構成されており、図示の例では四角形である。カメラケース３１は断面が略四角形の筒型形状であり、内部にはレンズ、撮像素子および処理回路を含む撮像装置が収容されている。監視カメラ３０は、前面ガラス３２を通して監視対象である被写体の像を取り込んで、被写体を撮影する。
【０００３】
カメラケース３１は、前面ガラス３２の周囲を保持している。カメラケース３１の端部が内側に曲げられて前面壁が形成されており、前面壁の開口にて、前面ガラス３２が外面側から押さえられて保持されている。
【０００４】
図９は、カメラケース３１が前面ガラス３２を保持する保持位置の拡大断面図である。前面ガラス３２は、カメラケース３１の前面壁の内面に対して、ガラス押さえ板３３で後ろ側から押さえつけられて固定される。ガラス押さえ板３３は、ビスでカメラケース３１に固定される。前面ガラス３２とカメラケース３１が当接する部分には、Ｏリング３４が設けられており、カメラケース３１の防水性が確保されている。
【０００５】
上記のように、監視カメラ３０は、カメラケース３１が前面ガラス３２を外面側から押さえつけて前面ガラス３２を保持している。これにより、図８および図９に示すように、カメラケース３１の外面よりも前面ガラス３２の外面が内側に窪む段差が形成され、監視カメラ３０が屋外に設置された場合には、この段差に雪や塵などの自然物が積もってしまうことがある。そして、段差部分に雪が積もると、前面ガラス３２を通した監視カメラ３０の視界が妨げられ、監視対象の一部の像が得られなくなってしまう。
【０００６】
このような点を考慮して、例えば、特許文献１に記載されたカメラケースは以下のように構成されている。図１０は、カメラケースの正面図である。カメラケース４１には、前面パネル４３に前面ガラス４２がはめ込まれている。前面ガラス４２の前方には、水滴、くもりを除去するデフロスタガラス４４が設けられており、デフロスタガラス４４は、側方からガラス押さえ４５で前面ガラス４２の方に押さえつけられている。そして、前面パネル４３が前面ガラス４２を支持する部分には、環状のパッキン溝４６が設けられており、パッキン溝４６にはパッキン４７がはめ込まれている。デフロスタガラス４４は、ガラス押さえ４５に押さえつけられて、パッキン４７と密着する。これにより、カメラケース４１内の防水性が確保されている。
【０００７】
図１０に示されるように、デフロスタガラス４４は、前面ガラス４２の表面に向けてマイナス勾配をつけた傾斜部４４１を有するテーパー形状とされている。また、ガラス押さえ４５はデフロスタガラス４４の傾斜部４４１の勾配に対応するプラス勾配をつけた傾斜部４５１を有するテーパー形状とされている。そして、ガラス押さえ４５の傾斜部４５１でデフロスタガラス４４の傾斜部４４１を押さえた状態で、ガラス押さえ４４の表面の高さが、デフロスタガラス４４の高さと同一以下にされている。この構成により、カメラケース４１では、ガラス押さえ４５がデフロスタガラス４４よりも高くなる段差をなくし、デフロスタガラス４４の外面に雪が堆積して監視カメラの視界を妨げるのを防止している。
【特許文献１】特開２００２−１５６７０２号公報（第２−３頁、第３図）
【発明の開示】
【発明が解決しようとする課題】
【０００８】
しかしながら、カメラケース４１では、ガラス押さえ４５の傾斜部４５１によってデフロスタガラス４４の傾斜部４４１が押さえつけられて、デフロスタガラス４４が固定されている。したがって、デフロスタガラス４４の公差が大きく寸法精度が低い場合には、ガラス押さえ４５をカメラケース４１に固定した状態で、デフロスタガラス４４がパッキン４７に十分に密着しないことがあり、この場合には、カメラケース４１内の防水性が低下する。
【０００９】
本発明は、従来の問題を解決するためになされたもので、監視カメラの前面にて雪等の自然物が堆積するのを防止するとともに、シーリングの確実性が高く、防水性に優れた監視カメラを提供することを目的とする。
【課題を解決するための手段】
【００１０】
本発明の監視カメラは、撮影窓部材と、前記撮影窓部材の外面と同等または後方に下がった外面を有し、前記撮影窓部材の厚さ方向に対して垂直な面で前記撮影窓部材と係合する押さえ部と、前記撮影窓部材および前記押さえ部と係合する保持手段とを備える。
【００１１】
この構成により、押さえ部の外面が撮影窓部材の外面と同等または後方に位置するので、監視カメラが屋外に設置されたときでも、撮影窓部材の外面に雪などの自然物が積もることを防止できるとともに、押さえ部が撮影窓部材の厚さ方向に対して垂直な面で撮影窓部材と係合するので、シーリングが確実になる。
【００１２】
また、本発明の監視カメラでは、前記保持手段が、保持部材と、前記保持部材に取り付けられ、前記撮影窓部材と係合する環状部材とを備える。
【００１３】
この構成により、環状部材を利用して撮影窓部材を容易に保持手段に取り付けられる。
【００１４】
さらに、本発明の監視カメラでは、前記環状部材と前記撮影窓部材とが係合した状態で撮影窓組立体が構成される。
【００１５】
この構成により、監視カメラを組み立てるときに、撮影窓部材と係合した状態で環状部材を保持手段本体に取り付ければよく、組立が容易である。
【００１６】
さらに、本発明の監視カメラでは、前記撮影窓部材は、第１の板状部材と前記第１の板状部材のサイズより小さい第２の板状部材とが貼り合わされて構成されており、前記撮影窓部材は、前記第１の板状部材が前記第２の板状部材からはみ出した部分にて前記押さえ部と係合する。
【００１７】
この構成により、撮影窓部材のはみ出し部分と環状部材とが係合して、撮影窓部材が保持手段に保持される。
【００１８】
さらに、本発明の監視カメラでは、前記撮影窓部材は、カシメによって前記保持手段に保持される。
【００１９】
この構成により、撮影窓部材を保持する構成を容易に実現できる。特に、撮影窓部材の外面側に段部を設け、その段部を外面側から押さえつけるように構成することで、製造を容易にできる。
【００２０】
また、本発明の監視カメラは、撮影窓部材と、前記撮影窓部材の外面と同等または後方に下がった外面を有し、前記撮影窓部材を保持する保持手段とを備え、前記撮影窓部材は、前記保持手段に接着されている。
【００２１】
この構成により、保持手段の外面が撮影窓部材の外面と同等または後方に位置するので、監視カメラが屋外に設置されたときでも、撮影窓部材の外面に雪などの自然物が積もることを防止できるとともに、撮影窓部材が保持手段に接着されて保持されているので、シーリングが確実になる。
【００２２】
また、本発明の監視カメラは、撮影窓部材と、前記撮影窓部材の外面と同等または後方に下がった外面を有し、前記撮影窓部材を保持する保持手段とを備え、前記撮影窓部材は、前記保持手段と一体成形されている。
【００２３】
この構成により、保持手段の外面が撮影窓部材の外面と同等または後方に位置するので、監視カメラが屋外に設置されたときでも、撮影窓部材の外面に雪などの自然物が積もることを防止できるとともに、撮影窓部材が保持手段と一体成形されているので、シーリングが確実になる。
【発明の効果】
【００２４】
本発明は、押さえ部が、撮影窓部材の外面と同等または後方に下がった外面を有するので、監視カメラが屋外に設置されたときでも、撮影窓部材の外面に雪などの自然物が積もることを防止でき、また、押さえ部が撮影窓部材の厚さ方向に対して垂直な面で撮影窓部材と係合するので、シーリングが確実になるという効果を有する監視カメラを提供することができる。
【発明を実施するための最良の形態】
【００２５】
以下、本発明の実施の形態の監視カメラについて、図面を用いて説明する。
【００２６】
図１は、本発明の第１の実施の形態の監視カメラの斜視図である。図１に示されるように、監視カメラ１は、カメラケース１１、レンズ収容カバー１２および前面ガラス１３を備えている。カメラケース１１は、略四角形の断面を有する筒型形状である。レンズ収容カバー１２は、円筒形状であり、カメラケース１１の前面側に取り付けられており、カメラケース１１の一部を構成している。前面ガラス１３は、円板形状であり、その径はレンズ収容カバー１２の断面の径よりも小さい。前面ガラス１３は、レンズ収容カバー１２の被写体側の端部に保持されている。
【００２７】
カメラケース１１には、撮像素子および処理回路等が収容されており、レンズ収容カバー１２には、複数枚のレンズからなるレンズ群が収容されている。監視対象は、前面ガラス１３を通して撮影される。このように、前面ガラス１３は、監視対象を撮影する窓であり、本発明の撮影窓部材に相当する。そして、レンズ収容カバー１２が本実施の形態では撮影窓部材の保持手段を構成する。監視カメラ１は、例えば、屋外の高所に備え付けられ、監視カメラ１にて撮影された監視対象の映像は、監視者のいる遠隔地のモニタに送信される。
【００２８】
図２は、レンズ収容カバー１２の前側端部の要部断面図である。また、図３は、レンズ収容カバー１２の分解組立図である。図２および図３に示されるように、レンズ収容カバー１２の端部には、環状のシーリングパッキン１４、円板状の後ろ側ガラス１５、環状のスペーサ１６、円板状の前面ガラス１３、環状のガラス押さえ板１７が取り付けられている。そして、ガラス押さえ板１７がレンズ収容カバー１２に３箇所でビス止めされることで、各部材がレンズ収容カバー１２に固定されている。
【００２９】
レンズ収容カバー１２の端部は、後ろ側ガラス１５の縁部を後方から支えるフランジ部を有している。後ろ側ガラス１５は、その背面縁部でレンズ収容カバー１２のフランジ部に支えられる。後ろ側ガラス１５の縁部の前面には環状のスペーサ１６が配置される。スペーサ１６の外周径は、後ろ側ガラス１５の径と同じ大きさである。そして、環状のスペーサ１６とレンズ収容カバー１２の端部の環状面とが同じ高さにある。レンズ収容カバー１２の端部環状面には、環状に溝が形成されている。溝にはＯリングであるシーリングパッキン１４がはめ込まれている。そして、スペーサ１６およびレンズ収容カバー１２の前面に、前面ガラス１３が配置される。
【００３０】
前面ガラス１３は、図３に示されるように、その周囲の縁部に、前面側がカットされて形成された段部１９を有する。段部１９は前面ガラス１３の厚さ方向（図３の左右方向）に対して垂直な水平面１９１と、前面ガラスの厚さ方向に平行な壁面１９２を有している。前面ガラス１３の上からは、さらに環状のガラス押さえ板１７が被せられる。
【００３１】
ガラス押さえ板１７は、内周縁に、前面ガラス１３の段部１９と係合する凸部を有している。この凸部の幅は、前面ガラス１３の段部の高さと等しい。これにより、ガラス押さえ板１７の凸部と前面ガラス１３の段部とが係合した状態で、前面ガラス１３の前面と、それに続くガラス押さえ板１７の外面とが同じ高さになる。ガラス押さえ板１７の凸部は本発明の押さえ部に相当し、段部１９の水平面１９１は、本発明の被押さえ部に相当する。
【００３２】
ガラス押さえ板１７は、ビス止め用の穴を３箇所に有し、これらの穴でレンズ収容カバー１２にビス止めされている。このとき、図２に示されるように、ビス１８が、ガラス押さえ板１７の外面および前面ガラス１３の前面よりも突出しないように、ガラス押さえ板１７の締付箇所に凹部が設けられている。
【００３３】
ガラス押さえ板１７がレンズ収容カバー１２に固定されることで、凸部にて前面ガラス１３をレンズ収容カバー１２の方向（後方）に押しつけている。そして、前面ガラス１３の背面縁部は、Ｏリング１４に密着してＯリング１４を弾性変形させ、スペーサ１６およびレンズ収容カバー１２に当接している。本実施の形態のガラス押さえ板１７は、前面ガラス１３を保持するものであり、本発明の保持手段として機能する。また、後ろ側ガラス１５は、レンズ収容カバー１２のフランジ部とスペーサ１６に挟まれて固定されており、後ろ側ガラス１５と前面ガラス１３で曇り防止のための２重ガラス構造が実現されている。
【００３４】
次に、本実施の形態の監視カメラ１の組立方法、特に、カメラケース１１の前端部分の組立方法を説明する。レンズが収容された状態のレンズ収容カバー１２が用意されると、レンズ収容カバー１２に、後ろ側ガラス１５、スペーサ１６、Ｏリング１４および前面ガラス１３が順にはめられ、その上からガラス押さえ板１７がビス１８でレンズ収容カバー１２に固定される。
【００３５】
次に、本実施の形態の監視カメラ１の動作について説明する。前述のように、監視カメラ１は、屋外の高所に設置される。屋外では、雪が降ることがあり、また、塵やほこりが舞っていることもある。このような場合には、雪や塵などが監視カメラ１の前面ガラス１３にかかる。しかし、前面ガラス１３を保持する領域にはガラス押さえ板１７との間に段差がないので、雪や塵が前面ガラス１３の前に積もることはない。したがって、雪や塵による前面ガラス１３の視界悪化を防ぐことができる。
【００３６】
このように本発明の第１の実施の形態の監視カメラ１によれば、前面ガラス１３およびガラス押さえ板１７に、互いに係合する構成を設けて、前面ガラス１３の外面とそれに続くガラス押さえ板１７の外面とが同一の高さとなるようにしたので、前面ガラス１３の外面を覆うように雪などが積もる段差が形成されず、雪などが前面ガラス１３の前に積もることによる視界の悪化を防ぐことができる。
【００３７】
また、上記の第１の実施の形態の監視カメラ１では、ガラス押さえ板１７の段部と前面ガラス１３の段部とを係合させて前面ガラス１３を保持している。そして、ガラス押さえ板１７は、押さえつける方向と垂直な面、すなわち、前面ガラス１３の段部１９の水平面１９１に作用して前面ガラス１３を押さえている。したがって、前面ガラス１３の段部１９を形成する際の厚さ方向の公差を考慮して、ガラス押さえ板１７の設計において、前面ガラス１３の側面と接触する面の高さｈ１およびビス止めされる際にレンズ収容カバー１２と接触する部分の高さｈ２を小さめに設定すれば、ガラス押さえ板１７がビス止めされた状態で、前面ガラス１３が確実にＯリング１４に密着して、Ｏリング１４を弾性変形させる。これにより、前面ガラス１３が確実にシールされ、レンズ収容カバー１２内の防水性が向上する。
【００３８】
以下に、本発明の他の実施の形態の監視カメラを説明する。以下に説明するいずれの実施の形態でも、監視カメラ１の全体的な構成は第１の実施の形態と同様である。以下の実施の形態では、レンズ収容カバー１２にて前面ガラス１３を保持する部分の構成が異なっている。
【００３９】
図４は、本発明の第２の実施の形態の監視カメラの要部断面図である。第２の実施の形態の監視カメラ１は、レンズ収容カバー１２に固定されるカラー２０を備えている。そして、後ろ側ガラス１５および前面ガラス１３はカラー２０に固定される。本実施の形態では、レンズ収容カバー１２とカラー２０で本発明の保持手段が構成される。
【００４０】
カラー２０は、内周縁に凸部を有し、この凸部によりフランジ部２１が構成されている。フランジ部２１は、後ろ側ガラス１５と前面ガラス１３との間のスペーサとして機能する。後ろ側ガラス１５は、その前面がカラー２０のフランジ部２１に当接して、背面側からのカラー２０をカシメることによって、カラー２０に固定されている。前面ガラス１３は、その背面がカラー２０のフランジ部２１に当接して、前面側からカラー２０をカシメることによって、カラー２０に固定されている。カラー２０のカシメ部分は、本発明の押さえ部に相当する。前面ガラス１３の凸部によって形成される外面側の段部は、カラー２０のカシメ部分によって押さえられる被押さえ部である。
【００４１】
前面ガラス１３の周囲の縁部は、外面および背面とも、図４に示されるように、中央部よりも径が小さくなるようにカットされている。これにより、外面側および背面側に段部が形成され、これらの段部によって側面に環状のフランジ部２２が形成されている。前面ガラス１３の背面側の段部とカラー２０のフランジ部２１との間には、Ｏリング１４が配置されている。また、前面ガラス１３の外面側の段部には、カラー２０がカシメられている。カラー２０は、前面ガラス１３の外面とカラー２０の外面が前後方向に同じになるような高さ（厚さ）を有している。
【００４２】
カラー２０の外周縁には、レンズ収容カバー１２にビス止めされるための穴が設けられている。カラー２０はこの穴にて外面側からビス１８によってレンズ収容カバー１２に固定される。このとき、ビス１８がカラー２０の外面および前面ガラス１３の外面よりも突出することはない。また、カラー２０の外周側面には、周方向に溝が形成されており、この溝にＯリング２３がはめ込まれている。Ｏリング２３は、カラー２０がレンズ収容カバー１２に取り付けられると、レンズ収容カバー１２の内面に密着する。レンズ収容カバー１２とカラー２０との間のＯリング２３および前面ガラス１３とカラー２０との間のＯリング１４によって、レンズ収容カバー１２の内部が密封されて、防水性が確保される。
【００４３】
次に、本実施の形態の監視カメラ１の組立方法を説明する。まず、カラー２０にＯリング１４がはめ込まれ、スペーサとして機能するフランジ部２１を挟むように後ろ側レンズ１５および前面ガラス１３が配置され、凸部の反対側からカラー２０によってカシメられる。この状態で、前面ガラス組立体が構成される。次に、カラー２０の外周側面に設けられた溝にＯリング２２をはめ込み、カラー２０をレンズ収容カバー１２に対してビス止めすることで、この前面ガラス組立体をレンズ収容カバー１２に固定する。
【００４４】
本実施の形態でも、第１の実施の形態と同様に、前面ガラス１３とカラー２０との間に段差が形成されておらず、前面ガラス１３の前に雪や塵が積もることがない。したがって、監視カメラ１が屋外に設置されたとしても、雪や塵による監視カメラ１の視界悪化を防ぐことができる。
【００４５】
また、本実施の形態の監視カメラ１では、カラー２０のカシメ部分が前面ガラス１３のフランジ部２２により形成された外面側の段部に作用し、カラー２０のフランジ部２１が前面ガラス１３の背面に作用し、かつ、Ｏリング１４が前面ガラス１３のフランジ部２１により形成された背面側の段部に圧接することで、前面ガラス１３がカラー２０に保持されている。すなわち、カラー２０のカシメ部分およびフランジ部２１が、前面ガラス１３の厚さ方向に対して垂直な面に作用して前面ガラス１３を挟持しているので、前面ガラス１３が確実にＯリング１４に密着して、Ｏリング１４を弾性変形させる。これにより、前面ガラス１３が確実にシールされ、レンズ収容カバー１２内の防水性が向上する。
【００４６】
本実施の形態では、さらに、後ろ側ガラス１５および前面ガラス１３がカラー２０に固定された状態で、レンズ収容カバー１２とは独立した組立体が構成されている。したがって、レンズ収容カバー１２に対する作業としては、この組立体のビス止めだけでよく、しかも、そのビス止めがカラー２０の外面側からできるので、製造が容易である。
【００４７】
なお、本実施の形態では、図４に示されるように、カラー２０が前側から前面ガラス１３の段部にカシメられている。したがって、カシメのない所では、ガラスと周囲のカラーの間に溝ができる。例えば、カシメが３箇所であれば、その３箇所以外では溝ができる。しかし、このような溝があっても、前面ガラス１３の外面に雪や塵が積もることはない。このように、前面ガラス１３の外面と保持手段の外面が連続しておらず、ある程度離れている構成も、本発明の範囲に含まれる。
【００４８】
図５は、本発明の第３の実施の形態の監視カメラの要部断面図である。本実施の形態では、互いに径の大きさが異なる２枚のガラス板１３１および１３２が接着されて前面ガラス１３が構成されている。前面ガラス１３は、外面側に小径のガラス板１３１が位置するように配置される。なお、径の異なる２枚のガラス板の接着することで、大径のガラス板１３２の周縁が小径のガラス板１３１よりもはみ出し、このはみ出し部分にて、一枚のガラス板の片面側の縁部をカットして段部を形成したものと同じ形状が得られている。
【００４９】
レンズ収容カバー１２の前面側端部は、内側に曲げられて、前面壁２４が形成されている。この前面壁２４の厚さは、前面ガラス１３を構成する外面側のガラス板１３１の厚さと同じである。また、前面壁２４の背面には、周方向に溝が形成されており、この溝にはＯリング１４がはめ込まれている。
【００５０】
前面ガラス１３は、後ろ側の大径のガラス板１３２の背面からフランジ形状の押さえ板２５によってレンズ収容カバー１２の前面壁２４の内面に押しつけられて、レンズ収容カバー１２に保持される。このとき、前面ガラス１３の後ろ側の大径のガラス板１３２の外面がＯリング１４に密着してＯリング１４を弾性変形させている。これにより、レンズ収容カバー１２の内部が密封されて、防水性が確保される。レンズ収容カバー１２の前面壁２４は、本発明の押さえ部に相当する。前面ガラス１３の段部、すなわち大径のガラス板１３２が小径のガラス板１３１からはみ出した部分は、前面壁２４にて押さえられる被押さえ部である。
【００５１】
本実施の形態では、前面ガラス１３を径の異なる２枚のガラス板１３１および１３２で構成することにより、周囲に段部が形成され、この段部にレンズ収容カバー１２の前面壁２４が係合しており、レンズ収容カバー１２の外面と前面ガラス１３の外面との間に段差が生じていない。これにより、監視カメラ１が屋外に設置された場合にも、雪などの自然物が前面ガラス１３の前に積もって視界を妨げることを防止できる。
【００５２】
また、本実施の形態の監視カメラ１では、後ろ側のガラス板１３２の前側のガラス板１３１からはみ出した部分を押さえ板２５によって前面壁２４の内面に押しつけることにより、前面ガラス１３を保持している。したがって、前面ガラス１３を構成するガラス板１３２の厚さの公差にかかわらず、確実にガラス板１３２の外面がＯリング１４に密着して、Ｏリング１４を弾性変形させる。これにより、前面ガラス１３が確実にシールされ、レンズ収容カバー１２内の防水性が向上する。
【００５３】
また、レンズ収容カバー１２の外面と前面ガラス１３の外面との段差をなくすための前面ガラス１３の段部を形成するのに、異なる径のガラス板を貼り合わせている。これにより、前面ガラス１３をカットする工程が不要であり、製造が容易である。
【００５４】
図６は、本発明の第４の実施の形態の監視カメラの要部断面図である。本実施の形態では、レンズ収容カバー１２の前側の端部が、内側に曲げられて、フランジ形状の前面壁２４が形成されており、前面壁２４に撮影窓用の開口が設けられている。そして、レンズ収容カバー１２の前面壁２４の前側外面には、前面ガラス１３の厚さと同じ高さの段部が形成されている。この段部の径は前面ガラス１３の径と一致しており、この段部に前面ガラス１３がはめ込まれる。そして、前面ガラス１３の縁部とレンズ収容カバー１２が当接する部分にて、両部材１３および１２は接着剤で接着されている。
【００５５】
本実施の形態では、レンズ収容カバー１２の前面壁２４に前面ガラス１３の厚さと同じ高さの段部が形成されているので、前面ガラス１３の外面とそれに続くレンズ収容カバー１２の外面とが同じ高さとなる。これにより、監視カメラ１が屋外に設置された場合にも、雪などの自然物が前面ガラス１３の前に積もって視界を妨げることを防止できる。
【００５６】
また、本実施の形態では、レンズ収容カバー１２の前面壁２４に形成した段部にて前面ガラス１３を接着することにより、前面ガラス１３を保持しているので、レンズ収容カバー１２と前面ガラス１３とが密着し、レンズ収容カバー１２内の防水性が向上する。すなわち、前面ガラス１３の厚さ方向の公差がある程度存在する場合にも、その公差は、レンズ収容カバー１２の前面壁１４の前側外面と前面ガラス１３の外面との高さの違いとして現れるのみであるので、このような公差に関わらず、前面壁２４の段部と前面ガラス１３とは密着する。これにより、レンズ収容カバー１２が確実に密閉されて、レンズ収容カバー１２内の防水性が向上する。
【００５７】
本実施の形態では、さらに、レンズ収容カバー１２と前面ガラス１３とを接着する構成としており、前面ガラス１３の周囲に段部を形成しなくてもよく、構成が簡単であり、コストも低い。特に、前面ガラス１３の周囲に段部を形成するための加工が必要ない点で、製造が容易である。
【００５８】
図７は、本発明の第５の実施の形態の監視カメラの要部断面図である。本実施の形態では、レンズ収容カバー１２と前面ガラス１３とが一体成形されている。レンズ収容カバー１２は、被写体側の端部にて内側に曲げられて、前面壁２４が形成されており、この前面壁２４にて前面ガラス１３と一体になっている。
【００５９】
本実施の形態では、レンズ収容カバー１２が樹脂製であり、モールド成型時に、前面ガラス１３がレンズ収容カバー１２の外面と前後方向に同じ位置になるように配置される。したがって、前面ガラス１３の外面とそれに続くレンズ収容カバー１２の外面との間に段差が生じない。これにより、監視カメラ１が屋外に設置された場合にも、雪などの自然物が前面ガラス１３の前に積もって視界を妨げることを防止できる。
【００６０】
本実施の形態でも、第４の実施の形態と同様に、前面ガラス１３を前面側から押さえる必要がないので、前面ガラス１３に段部を設ける必要がない。したがって、段部を設けるために前面ガラス１３の周囲をカットする工程が必要なく、製造が容易である。
【００６１】
また、本実施の形態では、レンズ収容カバー１２と前面ガラス１３とを一体成形することにより、前面ガラス１３を保持しているので、レンズ収容カバー１２と前面ガラス１３とが密着し、レンズ収容カバー１２内の防水性が確保される。そして、前面ガラス１３の厚さ方向の公差がある程度存在する場合にも、その公差は、レンズ収容カバー１２の前面壁１４の前側外面と前面ガラス１３の外面との高さの違いとして現れるのみで、このような公差に関わらず、前面壁２４の段部と前面ガラス１３とは密着する。これにより、レンズ収容カバー１２が確実に密閉されて、レンズ収容カバー１２内の防水性が向上する。
【００６２】
なお、上記の第１ないし第５の実施の形態では、レンズ収容カバー１２、ガラス押さえ板１７またはカラー２０が、前面ガラス１３に続く保持位置に、前面ガラス１３の外面と同じ位置に位置する外面を持つように構成した。そして、この構成により、前面ガラス１３が窪む段差をなくし、監視カメラ１が屋外に設置された場合にも、雪などの自然物が前面ガラス１３の前に積もって視界を妨げることがないようにした。レンズ収容カバー１２、ガラス押さえ板１７およびカラー２０の外面は、雪などの自然物が積もらない程度に実質的に前面ガラス１３の外面と同じ位置にあればよく、その範囲では両者が厳密に一致せずに、前面ガラス１３の前面よりもレンズ収容カバー１２またはカラー２０の外面が突出していてもよい。すなわち、両面の位置が厳密に一致していなくても、本発明の目的の範囲内で両面の位置が同等であればよい。
【００６３】
例えば、図４に示した第２の実施の形態では、前面ガラス１３の外面側に段部を形成して、この段部にカシメによってカラー２０を被せるようにしたが、カシメの部分が十分に薄いのであれば、実質的な段差はできておらず、自然物が積もることによる視界の妨げは問題とならないので、前面ガラス１３に段部を設けることなくカラー２０をカシメてもよい。
【００６４】
また、本発明は、上記のような構成に限られず、レンズ収容カバー１２、ガラス押さえ板１７およびカラー２０の外面が前面ガラス１３の外面より後方に位置するように、すなわち、前面ガラス１３の外面がレンズ収容カバー１２、ガラス押さえ板１７またはカラー２０の外面よりも突出するように構成してもよい。この構成でも、雪などの自然物が監視カメラの視界を妨げるように前面ガラス１３の前に積もることを防止できる。
【００６５】
さらに、前面ガラス１３を固定するために、第１および第５の実施の形態では、ガラス押さえ板１７または押さえ板２１によって前面ガラス１３を押さえつけ、第２の実施の形態では、カラー２０のカシメによって前面ガラス１３を固定し、第３の実施の形態では、前面ガラス１３を接着剤でレンズ収容カバー１２に接着したが、これらの固定手法は互換可能である。例えば、第２の実施の形態において、カシメによって前面ガラス１３をカラー２０に固定する代わりに、接着剤を用いて前面ガラス１３をカラー２０に接着させてもよい。
【００６６】
また、上記の実施の形態における前面ガラス１３は、ガラスで構成されたが、これに限らず、樹脂等で構成されてもよい。また、前面ガラス１３は、透明であっても半透明であってもよいし、無色であっても色付きであってもよい。
【産業上の利用可能性】
【００６７】
以上のように、本発明にかかる監視カメラは、押さえ部が、撮影窓部材の外面と同等または後方に下がった外面を有するので、監視カメラが屋外に設置されたときでも、撮影窓部材の外面に雪などの自然物が積もることを防止でき、また、押さえ部が撮影窓部材の厚さ方向に対して垂直な面で撮影窓部材と係合するので、シーリングが確実になるという効果を有し、屋外に設置される監視カメラ等として有用である。
【図面の簡単な説明】
【００６８】
【図１】本発明の第１の実施の形態における監視カメラの斜視図
【図２】本発明の第１の実施の形態におけるレンズ収容カバーの前端部の要部断面図
【図３】本発明の第１の実施の形態におけるレンズ収容カバーの前端部の分解組立図
【図４】本発明の第２の実施の形態におけるレンズ収容カバー要部断面図
【図５】本発明の第３の実施の形態におけるレンズ収容カバーの要部断面図
【図６】本発明の第４の実施の形態におけるレンズ収容カバーの要部断面図
【図７】本発明の第５の実施の形態におけるレンズ収容カバーの要部断面図
【図８】従来の監視カメラの斜視図
【図９】従来の監視カメラの拡大断面図
【図１０】従来の監視カメラの正面図
【符号の説明】
【００６９】
１  監視カメラ
１１  カメラケース
１２  レンズ収容カバー
１３  前面ガラス
１４  Ｏリング
１７  ガラス押さえ板
２０  カラー
【図１】
2005198130.tif 000003
【図２】
2005198130.tif 000004
【図３】
2005198130.tif 000005
【図４】
2005198130.tif 000006
【図５】
2005198130.tif 000007
【図６】
2005198130.tif 000008
【図７】
2005198130.tif 000009
【図８】
2005198130.tif 000010
【図９】
2005198130.tif 000011
【図１０】
2005198130.tif 000012